【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備える案内情報提供サーバ、および、当該案内情報提供サーバにネットワークを介して通信可能に接続された、位置発信装置から発信される現在位置情報信号を受信する位置取得部と表示部と制御部とを少なくとも備える携帯端末装置を備えた案内情報提供システムであって、  上記案内情報提供サーバの上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記案内情報提供サーバの上記制御部は、  上記携帯端末装置から送信される上記位置情報に対応する、上記地図データ記憶手段に記憶された上記地図データを上記携帯端末装置へ送信する地図データ送信手段を備え、  上記携帯端末装置の上記制御部は、  上記位置取得部にて上記位置発信装置より受信した上記現在位置情報信号から、上記緯度および上記経度を少なくとも含む上記位置情報を抽出することにより、抽出した当該位置情報を取得する現在位置取得手段と、  上記現在位置取得手段により取得された上記位置情報を上記案内情報提供サーバへ送信する現在位置送信手段と、  上記案内情報提供サーバの上記地図データ送信手段により送信される上記地図データを受信する地図データ受信手段と、  上記地図データ受信手段により受信した上記地図データ上に、上記詳細地図データを有する上記所定領域を他の領域と区別して表示し、上記現在位置取得手段により取得された上記現在位置を示す現在位置表示記号を表示した地図表示画面を、上記表示部に表示する地図表示手段と、  上記地図表示手段により表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替手段と、を備えたことを特徴とする、案内情報提供システム。
【請求項２】
請求項１に記載の案内情報提供システムにおいて、  上記所定領域は、高さ情報を持つ建造物を示し、  上記地図データ記憶手段は、  上記高さ情報を持つ上記建造物の領域を示す上記所定領域の詳細地図データの格納先情報に紐づけられた地図データを、上記高さ情報を更に含む上記位置情報に対応付けて記憶する  ことを特徴とする、案内情報提供システム。
【請求項３】
請求項１に記載の案内情報提供システムにおいて、  上記所定領域は、建造物を示し、  上記地図表示手段は、上記建造物の形状を上記他の領域と区別してポリゴン表示することを特徴とする、案内情報提供システム。
【請求項４】
請求項２に記載の案内情報提供システムにおいて、  上記現在位置取得手段は、上記位置取得部にて上記位置発信装置より受信した上記現在位置情報信号から、上記高さ情報を更に含む上記位置情報を抽出することにより、抽出した当該位置情報を取得し、  上記地図表示切替手段は、上記現在位置取得手段により取得された上記位置情報に含まれる上記高さ情報に対応する上記建造物内のフロア案内地図を表示することを特徴とする、案内情報提供システム。
【請求項５】
請求項１に記載の案内情報提供システムにおいて、 上記所定領域は、高さ情報を持つ建造物を示し、 上記地図表示手段は、上記所定領域が上記高さ情報を持つ上記建造物を示す場合には、当該建造物の立体形状をポリゴン表示し、上記所定領域が上記高さ情報を持たない上記建造物を示す場合には、当該建造物の形状をポリゴン表示することを特徴とする、案内情報提供システム。
【請求項６】
請求項４に記載の案内情報提供システムにおいて、  上記地図表示切替手段は、  上記地図表示手段により表示された上記地図表示画面において、上記所定領域内に上記現在位置表示記号が含まれているが、上記現在位置取得手段により取得された上記位置情報に上記高さ情報が含まれていない場合、上記高さ情報に対応付けられた表示可能な上記詳細地図データの階層選択画面を、上記表示部に表示し、  表示された上記階層選択画面上で利用者により選択入力された上記高さ情報に基づいて、上記詳細地図データ記憶手段の上記格納先に格納された上記建造物内の上記高さ情報に対応する上記フロア案内地図を上記詳細地図データとして取得し、上記地図表示画面に表示されていた上記地図データを、取得した当該詳細地図データに切り替えて、上記表示部に表示することを特徴とする、案内情報提供システム。
【請求項７】
所定領域の詳細地図データの格納先情報に紐づけられた地図データを、緯度および経度を少なくとも含む位置情報に対応付けて記憶する地図データ記憶手段と、 上記詳細地図データを、上記格納先情報が示す格納先に記憶する詳細地図データ記憶手段と、 位置取得部にて位置発信装置より受信した現在位置情報信号から、上記緯度および上記経度を少なくとも含む上記位置情報を抽出することにより、抽出した当該位置情報を取得する現在位置取得手段と、 上記現在位置取得手段により取得された上記位置情報に対応する、上記地図データ記憶手段に記憶された上記地図データを取得する地図データ取得手段と、 上記地図データ取得手段により取得した上記地図データ上に、上記詳細地図データを有する上記所定領域を他の領域と区別して表示し、上記現在位置取得手段により取得された上記現在位置を示す現在位置表示記号を表示した地図表示画面を、表示部に表示する地図表示手段と、 上記地図表示手段により表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替手段と、を備えたことを特徴とする、案内情報提供システム。
【請求項８】
案内情報提供サーバにネットワークを介して通信可能に接続された、位置発信装置から発信される現在位置情報信号を受信する位置取得部と表示部と制御部とを少なくとも備える携帯端末装置であって、  上記制御部は、  上記位置取得部にて上記位置発信装置より受信した上記現在位置情報信号から、緯度および経度を少なくとも含む位置情報を抽出することにより、抽出した当該位置情報を取得する現在位置取得手段と、  上記現在位置取得手段により取得された上記位置情報を上記案内情報提供サーバへ送信する現在位置送信手段と、  上記案内情報提供サーバから送信される、上記携帯端末装置から送信された上記位置情報に対応する、上記緯度および上記経度を少なくとも含む上記位置情報に対応付けて記憶された所定領域の詳細地図データの格納先情報に紐づけられた地図データを受信する地図データ受信手段と、  上記地図データ受信手段により受信した上記地図データ上に、上記格納先情報が示す格納先に記憶された上記詳細地図データを有する上記所定領域を他の領域と区別して表示し、上記現在位置取得手段により取得された上記現在位置を示す現在位置表示記号を表示した地図表示画面を、上記表示部に表示する地図表示手段と、  上記地図表示手段により表示された上記地図表示画面において、上記他の領域と区別して表示された上記所定領域内に上記現在位置表示記号が含まれる場合、上記案内情報提供サーバから上記格納先に格納された上記詳細地図データを取得し、上記地図表示画面に表示されていた上記地図データを、取得した当該詳細地図データに切り替えて、上記表示部に表示する地図表示切替手段と、を備えたことを特徴とする、携帯端末装置。
【請求項９】
位置発信装置から発信される現在位置情報信号を受信する位置取得部と表示部とを少なくとも備える携帯端末装置にネットワークを介して通信可能に接続された、制御部と記憶部とを少なくとも備える案内情報提供サーバであって、  上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記制御部は、  上記携帯端末装置から送信される、当該携帯端末装置の上記位置取得部にて上記位置発信装置より受信した上記現在位置情報信号から抽出された上記緯度および上記経度を少なくとも含む位置情報に対応する、上記地図データ記憶手段に記憶された上記地図データを取得する地図データ取得手段と、  上記地図データ取得手段により取得された上記地図データ上に、上記詳細地図データを有する上記所定領域を他の領域と区別して表示し、上記携帯端末装置から送信されて取得された上記現在位置を示す現在位置表示記号を表示した地図表示画面を生成する地図表示画面生成手段と、  上記地図表示画面生成手段により生成した上記地図表示画面を上記携帯端末装置へ送信することにより、当該携帯端末装置の上記表示部に当該地図表示画面を表示させる地図表示制御手段と、  上記地図表示制御手段により表示された上記地図表示画面において、上記他の領域と区別して表示された上記所定領域内に上記現在位置表示記号が含まれる場合、上記詳細地図データ記憶手段の上記格納先に格納された上記詳細地図データを取得し、当該詳細地図データを上記携帯端末装置へ送信することにより、上記地図表示画面に表示されていた上記地図データを、送信した当該詳細地図データに切り替えるよう、当該詳細地図データを上記表示部に表示させる地図表示切替制御手段と、を備えたことを特徴とする、案内情報提供サーバ。
【請求項１０】
位置発信装置から発信される現在位置情報信号を受信する位置取得部と表示部と制御部と記憶部とを少なくとも備える案内情報提供装置であって、  上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記制御部は、  上記位置取得部にて上記位置発信装置より受信した上記現在位置情報信号から、上記緯度および上記経度を少なくとも含む上記位置情報を抽出することにより、抽出した当該位置情報を取得する現在位置取得手段と、  上記現在位置取得手段により取得された上記位置情報に対応する、上記地図データ記憶手段に記憶された上記地図データを取得する地図データ取得手段と、  上記地図データ取得手段により取得した上記地図データ上に、上記詳細地図データを有する上記所定領域を他の領域と区別して表示し、上記現在位置取得手段により取得された上記現在位置を示す現在位置表示記号を表示した地図表示画面を、上記表示部に表示する地図表示手段と、  上記地図表示手段により表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替手段と、を備えたことを特徴とする、案内情報提供装置。
【請求項１１】
制御部と記憶部とを少なくとも備える案内情報提供サーバ、および、当該案内情報提供サーバにネットワークを介して通信可能に接続された、位置発信装置から発信される現在位置情報信号を受信する位置取得部と表示部と制御部とを少なくとも備える携帯端末装置を備えた案内情報提供システムにおいて実行される案内情報提供方法であって、  上記案内情報提供サーバの上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記携帯端末装置の上記制御部において実行される、上記位置取得部にて上記位置発信装置より受信した上記現在位置情報信号から、上記緯度および上記経度を少なくとも含む上記位置情報を抽出することにより、抽出した当該位置情報を取得する現在位置取得ステップと、  上記携帯端末装置の上記制御部において実行される、上記現在位置取得ステップにて取得された上記位置情報を上記案内情報提供サーバへ送信する現在位置送信ステップと、  上記案内情報提供サーバの上記制御部において実行される、上記携帯端末装置の上記現在位置送信ステップにて送信される上記位置情報に対応する、上記地図データ記憶手段に記憶された上記地図データを上記携帯端末装置へ送信する地図データ送信ステップと、  上記携帯端末装置の上記制御部において実行される、上記案内情報提供サーバの上記地図データ送信ステップにて送信される上記地図データを受信する地図データ受信ステップと、  上記携帯端末装置の上記制御部において実行される、上記地図データ受信ステップにて受信した上記地図データ上に、上記詳細地図データを有する上記所定領域を他の領域と区別して表示し、上記現在位置取得ステップにて取得された上記現在位置を示す現在位置表示記号を表示した地図表示画面を、上記表示部に表示する地図表示ステップと、  上記携帯端末装置の上記制御部において実行される、上記地図表示ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替ステップと、を含むことを特徴とする、案内情報提供方法。
【請求項１２】
案内情報提供システムにおいて実行される案内情報提供方法であって、 上記案内情報提供システムは、 所定領域の詳細地図データの格納先情報に紐づけられた地図データを、緯度および経度を少なくとも含む位置情報に対応付けて記憶する地図データ記憶手段と、上記詳細地図データを、上記格納先情報が示す格納先に記憶する詳細地図データ記憶手段と、現在位置取得手段と、地図データ取得手段と、地図表示手段と、地図表示切替手段と、を備え、 上記現在位置取得手段が、位置取得部にて位置発信装置より受信した現在位置情報信号から、上記緯度および上記経度を少なくとも含む上記位置情報を抽出することにより、抽出した当該位置情報を取得する現在位置取得ステップと、 上記地図データ取得手段が、上記現在位置取得ステップにて取得された上記位置情報に対応する、上記地図データ記憶手段に記憶された上記地図データを取得する地図データ取得ステップと、 上記地図表示手段が、上記地図データ取得ステップにて取得した上記地図データ上に、上記詳細地図データを有する上記所定領域を他の領域と区別して表示し、上記現在位置取得ステップにて取得された上記現在位置を示す現在位置表示記号を表示した地図表示画面を、表示部に表示する地図表示ステップと、 上記地図表示切替手段が、上記地図表示ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替ステップと、を含むことを特徴とする、案内情報提供方法。
【請求項１３】
案内情報提供サーバにネットワークを介して通信可能に接続された、位置発信装置から発信される現在位置情報信号を受信する位置取得部と表示部と制御部とを少なくとも備える携帯端末装置において実行される案内情報提供方法であって、  上記制御部において実行される、  上記位置取得部にて上記位置発信装置より受信した上記現在位置情報信号から、緯度および経度を少なくとも含む位置情報を抽出することにより、抽出した当該位置情報を取得する現在位置取得ステップと、  上記現在位置取得ステップにて取得された上記位置情報を上記案内情報提供サーバへ送信する現在位置送信ステップと、  上記案内情報提供サーバから送信される、上記携帯端末装置から送信された上記位置情報に対応する、上記緯度および上記経度を少なくとも含む上記位置情報に対応付けて記憶された所定領域の詳細地図データの格納先情報に紐づけられた地図データを受信する地図データ受信ステップと、  上記地図データ受信ステップにて受信した上記地図データ上に、上記格納先情報が示す格納先に記憶された上記詳細地図データを有する上記所定領域を他の領域と区別して表示し、上記現在位置取得ステップにて取得された上記現在位置を示す現在位置表示記号を表示した地図表示画面を、上記表示部に表示する地図表示ステップと、  上記地図表示ステップにて表示された上記地図表示画面において、上記他の領域と区別して表示された上記所定領域内に上記現在位置表示記号が含まれる場合、上記案内情報提供サーバから上記格納先に格納された上記詳細地図データを取得し、上記地図表示画面に表示されていた上記地図データを、取得した当該詳細地図データに切り替えて、上記表示部に表示する地図表示切替ステップと、を含むことを特徴とする、案内情報提供方法。
【請求項１４】
位置発信装置から発信される現在位置情報信号を受信する位置取得部と表示部とを少なくとも備える携帯端末装置にネットワークを介して通信可能に接続された、制御部と記憶部とを少なくとも備える案内情報提供サーバにおいて実行される案内情報提供方法であって、  上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記制御部において実行される、  上記携帯端末装置から送信される、当該携帯端末装置の上記位置取得部にて上記位置発信装置より受信した上記現在位置情報信号から抽出された上記緯度および上記経度を少なくとも含む上記位置情報に対応する、上記地図データ記憶手段に記憶された上記地図データを取得する地図データ取得ステップと、  上記地図データ取得ステップにて取得された上記地図データ上に、上記詳細地図データを有する上記所定領域を他の領域と区別して表示し、上記携帯端末装置から送信されて取得された上記現在位置を示す現在位置表示記号を表示した地図表示画面を生成する地図表示画面生成ステップと、  上記地図表示画面生成ステップにて生成した上記地図表示画面を上記携帯端末装置へ送信することにより、当該携帯端末装置の上記表示部に当該地図表示画面を表示させる地図表示制御ステップと、  上記地図表示制御ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、当該詳細地図データを上記携帯端末装置へ送信することにより、上記地図表示画面に表示されていた上記地図データを、送信した当該詳細地図データに切り替えるよう、当該詳細地図データを上記表示部に表示させる地図表示切替制御ステップと、を含むことを特徴とする、案内情報提供方法。
【請求項１５】
位置発信装置から発信される現在位置情報信号を受信する位置取得部と表示部と制御部と記憶部とを少なくとも備える案内情報提供装置において実行される案内情報提供方法であって、  上記記憶部は、  所定領域の詳細地図データの格納先情報に紐づけられた地図データを、緯度および経度を少なくとも含む位置情報に対応付けて記憶する地図データ記憶手段と、  上記詳細地図データを、上記格納先情報が示す格納先に記憶する詳細地図データ記憶手段と、を備え、  上記制御部において実行される、  上記位置取得部にて上記位置発信装置より受信した上記現在位置情報信号から、上記緯度および上記経度を少なくとも含む上記位置情報を抽出することにより、抽出した当該位置情報を取得する現在位置取得ステップと、  上記現在位置取得ステップにて取得された上記位置情報に対応する、上記地図データ記憶手段に記憶された上記地図データを取得する地図データ取得ステップと、  上記地図データ取得ステップにて取得した上記地図データ上に、上記詳細地図データを有する上記所定領域を他の領域と区別して表示し、上記現在位置取得ステップにて取得された上記現在位置を示す現在位置表示記号を表示した地図表示画面を、上記表示部に表示する地図表示ステップと、  上記地図表示ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替ステップと、を含むことを特徴とする、案内情報提供方法。
【請求項１６】
案内情報提供サーバにネットワークを介して通信可能に接続された、位置発信装置から発信される現在位置情報信号を受信する位置取得部と表示部と制御部とを少なくとも備える携帯端末装置に実行させるためのプログラムであって、 上記制御部において、 上記位置取得部にて上記位置発信装置より受信した上記現在位置情報信号から、緯度および経度を少なくとも含む位置情報を抽出することにより、抽出した当該位置情報を取得する現在位置取得ステップと、 上記現在位置取得ステップにて取得された上記位置情報を上記案内情報提供サーバへ送信する現在位置送信ステップと、 上記案内情報提供サーバから送信される、上記携帯端末装置から送信された上記位置情報に対応する、上記緯度および上記経度を少なくとも含む上記位置情報に対応付けて記憶された所定領域の詳細地図データの格納先情報に紐づけられた地図データを受信する地図データ受信ステップと、 上記地図データ受信ステップにて受信した上記地図データ上に、上記格納先情報が示す格納先に記憶された上記詳細地図データを有する上記所定領域を他の領域と区別して表示し、上記現在位置取得ステップにて取得された上記現在位置を示す現在位置表示記号を表示した地図表示画面を、上記表示部に表示する地図表示ステップと、 上記地図表示ステップにて表示された上記地図表示画面において、上記他の領域と区別して表示された上記所定領域内に上記現在位置表示記号が含まれる場合、上記案内情報提供サーバから上記格納先に格納された上記詳細地図データを取得し、上記地図表示画面に表示されていた上記地図データを、取得した当該詳細地図データに切り替えて、上記表示部に表示する地図表示切替ステップと、を実行させるためのプログラム。
【請求項１７】
位置発信装置から発信される現在位置情報信号を受信する位置取得部と表示部とを少なくとも備える携帯端末装置にネットワークを介して通信可能に接続された、制御部と記憶部とを少なくとも備える案内情報提供サーバに実行させるためのプログラムであって、 上記記憶部は、 所定領域の詳細地図データの格納先情報に紐づけられた地図データを、緯度および経度を少なくとも含む位置情報に対応付けて記憶する地図データ記憶手段と、 上記詳細地図データを、上記格納先情報が示す格納先に記憶する詳細地図データ記憶手段と、を備え、 上記制御部において、 上記携帯端末装置から送信される、当該携帯端末装置の上記位置取得部にて上記位置発信装置より受信した上記現在位置情報信号から抽出された上記緯度および上記経度を少なくとも含む上記位置情報に対応する、上記地図データ記憶手段に記憶された上記地図データを取得する地図データ取得ステップと、 上記地図データ取得ステップにて取得された上記地図データ上に、上記詳細地図データを有する上記所定領域を他の領域と区別して表示し、上記携帯端末装置から送信されて取得された上記現在位置を示す現在位置表示記号を表示した地図表示画面を生成する地図表示画面生成ステップと、 上記地図表示画面生成ステップにて生成した上記地図表示画面を上記携帯端末装置へ送信することにより、当該携帯端末装置の上記表示部に当該地図表示画面を表示させる地図表示制御ステップと、 上記地図表示制御ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、当該詳細地図データを上記携帯端末装置へ送信することにより、上記地図表示画面に表示されていた上記地図データを、送信した当該詳細地図データに切り替えるよう、当該詳細地図データを上記表示部に表示させる地図表示切替制御ステップと、を実行させるためのプログラム。
【請求項１８】
位置発信装置から発信される現在位置情報信号を受信する位置取得部と表示部と制御部と記憶部とを少なくとも備える案内情報提供装置に実行させるためのプログラムであって、 上記記憶部は、 所定領域の詳細地図データの格納先情報に紐づけられた地図データを、緯度および経度を少なくとも含む位置情報に対応付けて記憶する地図データ記憶手段と、 上記詳細地図データを、上記格納先情報が示す格納先に記憶する詳細地図データ記憶手段と、を備え、 上記制御部において、 上記位置取得部にて上記位置発信装置より受信した上記現在位置情報信号から、上記緯度および上記経度を少なくとも含む上記位置情報を抽出することにより、抽出した当該位置情報を取得する現在位置取得ステップと、 上記現在位置取得ステップにて取得された上記位置情報に対応する、上記地図データ記憶手段に記憶された上記地図データを取得する地図データ取得ステップと、 上記地図データ取得ステップにて取得した上記地図データ上に、上記詳細地図データを有する上記所定領域を他の領域と区別して表示し、上記現在位置取得ステップにて取得された上記現在位置を示す現在位置表示記号を表示した地図表示画面を、上記表示部に表示する地図表示ステップと、 上記地図表示ステップにて表示された上記地図表示画面において、上記他の領域と区別して表示された上記所定領域内に上記現在位置表示記号が含まれる場合、上記詳細地図データ記憶手段の上記格納先に格納された上記詳細地図データを取得し、上記地図表示画面に表示されていた上記地図データを、取得した当該詳細地図データに切り替えて、上記表示部に表示する地図表示切替ステップと、を実行させるためのプログラム。
【手続補正２】
【補正対象書類名】明細書
【補正対象項目名】発明の名称
【補正方法】変更
【補正の内容】
【発明の名称】案内情報提供システム、携帯端末装置、案内情報提供サーバ、案内情報提供装置、案内情報提供方法、および、プログラム
【手続補正３】
【補正対象書類名】明細書
【補正対象項目名】０００１
【補正方法】変更
【補正の内容】
【０００１】  本発明は、案内情報提供システム、携帯端末装置、案内情報提供サーバ、案内情報提供装置、案内情報提供方法、および、プログラムに関する。
【手続補正４】
【補正対象書類名】明細書
【補正対象項目名】００１０
【補正方法】変更
【補正の内容】
【００１０】  本発明は、上記問題点に鑑みてなされたもので、ユーザの屋内外間の移動に対応したシームレスな経路案内をより良好に行うことができる案内情報提供システム、携帯端末装置、案内情報提供サーバ、案内情報提供装置、案内情報提供方法、および、プログラムを提供することを目的とする。
【手続補正５】
【補正対象書類名】明細書
【補正対象項目名】０１６３
【補正方法】変更
【補正の内容】
【０１６３】  以上詳述したように、本発明によれば、ユーザの屋内外間の移動に対応したシームレスな経路案内をより良好に行うことができる案内情報提供システム、携帯端末装置、案内情報提供サーバ、案内情報提供装置、案内情報提供方法、および、プログラムを提供することができるので、屋内外の地図情報を発信する等の案内情報提供を支援する情報機器や情報処理分野などの様々な分野において極めて有用である。